(57)【要約】    【課題】  全体が小型でかつ広画角でありながらフォーカシングに際しての収差変動が少なく、全物体距離にわたり高い光学性能を有し、高速なフォーカシングが容易なズームレンズを得ること。    【解決手段】  物体側から像側に順に配置された、負の屈折力の第１レンズ群、正の屈折力の第２レンズ群、１つ以上のレンズ群を含む後群からなり、ズーミングに際して隣り合うレンズ群の間隔が変化するズームレンズであって、後群は、最も像側に負の屈折力のレンズ部Ｌｎとレンズ部Ｌｎの物体側に隣接して正の屈折力のレンズ部Ｌｐとを有し、レンズ部Ｌｐは１つ以上のレンズ要素を有し、レンズ部Ｌｐのうちの１つのレンズ要素ＬＦを光軸方向に移動させることによりフォーカシングを行い、レンズ要素ＬＦの物体側のレンズ面の曲率半径Ｒ１ｆ、像側のレンズ面の曲率半径Ｒ２ｆを各々適切に設定すること。【選択図】    図１
2019168496.tif 000002
【特許請求の範囲】
【請求項１】
複数のレンズ群を有し、ズーミングに際して隣り合うレンズ群の間隔が変化するズームレンズであって、
前記複数のレンズ群は、物体側から像側に順に配置された、負の屈折力の第１レンズ群、正の屈折力の第２レンズ群、１つ以上のレンズ群を含む後群からなり、
前記後群は、最も像側に配置された負の屈折力のレンズ部Ｌｎと該レンズ部Ｌｎの物体側に隣接して配置された正の屈折力のレンズ部Ｌｐとを有し、
前記レンズ部Ｌｐは１つ以上のレンズ要素を有し、前記レンズ部Ｌｐのうちの１つのレンズ要素ＬＦを光軸方向に移動させることによりフォーカシングを行い、
前記レンズ要素ＬＦの物体側のレンズ面の曲率半径をＲ１ｆ、像側のレンズ面の曲率半径をＲ２ｆとするとき、
０．９５＜（Ｒ２ｆ＋Ｒ１ｆ）／（Ｒ２ｆ−Ｒ１ｆ）＜５．００
なる条件式を満足することを特徴とするズームレンズ。
【請求項２】
前記レンズ部Ｌｐは１つのレンズ要素からなることを特徴とする請求項１に記載のズームレンズ。
【請求項３】
前記レンズ部Ｌｐの焦点距離をｆｐ、前記レンズ部Ｌｎの焦点距離をｆｎとするとき、
１．０＜｜ｆｐ/ｆｎ｜＜５．０
なる条件式を満足することを特徴とする請求項１または２に記載のズームレンズ。
【請求項４】
望遠端において無限遠に合焦しているときの前記レンズ要素ＬＦの横倍率をβｐｔ、望遠端において無限遠に合焦しているときの前記レンズ要素ＬＦより像側に配置されたレンズ系の横倍率をβｔとするとき、
１．４＜（１−βｐｔ２）×βｔ２＜５．０
なる条件式を満足することを特徴とする請求項１乃至３のいずれか１項に記載のズームレンズ。
【請求項５】
前記レンズ部Ｌｐの焦点距離をｆｐ、広角端における前記ズームレンズの焦点距離をｆｗとするとき、
３．０＜ｆｐ／ｆｗ＜８．５
なる条件式を満足することを特徴とする請求項１乃至４のいずれか１項に記載のズームレンズ。
【請求項６】
無限遠に合焦時の広角端における前記レンズ要素ＬＦの最も物体側のレンズ面から像面までの距離をＤｗ、広角端における前記第１レンズ群の最も物体側のレンズ面から像面までの距離をＬｗとするとき、
０．２５＜Ｄｗ／Ｌｗ＜０．３６
なる条件式を満足することを特徴とする請求項１乃至５のいずれか１項に記載のズームレンズ。
【請求項７】
無限遠に合焦時の望遠端における前記レンズ要素ＬＦの最も物体側のレンズ面から像面までの距離をＤｔ、望遠端における前記第１レンズ群の最も物体側のレンズ面から像面までの距離をＬｔとするとき、
０．２５＜Ｄｔ／Ｌｔ＜０．５５
なる条件式を満足することを特徴とする請求項１乃至６のいずれか１項に記載のズームレンズ。
【請求項８】
前記レンズ部Ｌｎの焦点距離をｆｎ、望遠端における前記ズームレンズの焦点距離をｆｔとするとき、
１．０＜｜ｆｎ｜／ｆｔ＜１０．０
なる条件式を満足することを特徴とする請求項１乃至７のいずれか１項に記載のズームレンズ。
【請求項９】
望遠端において、無限遠に合焦しているときの前記レンズ要素ＬＦより像側に配置されたレンズ系の横倍率をβｔとするとき、
１．４＜βｔ＜５．０
なる条件式を満足することを特徴とする請求項１乃至８のいずれか１項に記載のズームレンズ。
【請求項１０】
前記レンズ部Ｌｐは１枚の正レンズからなることを特徴とする請求項１乃至９のいずれか１項に記載のズームレンズ。
【請求項１１】
前記レンズ要素ＬＦは、１枚の正レンズ、または、１枚の正レンズと１枚の負レンズを接合した接合レンズからなり、前記正レンズの材料のアッベ数をνｄとするとき、
４５≦νｄ
なる条件式を満足することを特徴とする請求項１乃至９のいずれか１項に記載のズームレンズ。
【請求項１２】
前記第２レンズ群は開口絞りを含むことを特徴とする請求項１乃至１１のいずれか１項に記載のズームレンズ。
【請求項１３】
前記レンズ部Ｌｎは最も像側に、正レンズ、または正の屈折力の接合レンズを有することを特徴とする請求項１乃至１２のいずれか１項に記載のズームレンズ。
【請求項１４】
広角端における前記ズームレンズの焦点距離をｆｗ、広角端におけるバックフォーカスをＢＦｗとするとき、
０．５＜ＢＦｗ/ｆｗ＜２．０
なる条件式を満足することを特徴とする請求項１乃至１３のいずれか１項に記載のズームレンズ。
【請求項１５】
広角端における前記第１レンズ群と前記第２レンズ群の空気間隔をＤ１ｗ、望遠端における前記第１レンズ群と前記第２レンズ群の空気間隔をＤ１ｔとするとき、
Ｄ１ｗ＞Ｄ１ｔ
なる条件式を満足することを特徴とする請求項１乃至１４のいずれか１項に記載のズームレンズ。
【請求項１６】
前記後群は、物体側から像側へ順に配置された、正の屈折力の第３レンズ群、負の屈折力の第４レンズ群からなり、前記第３レンズ群が前記レンズ部Ｌｐであり、前記第４レンズ群が前記レンズ部Ｌｎであることを特徴とする請求項１乃至１５のいずれか１項に記載のズームレンズ。
【請求項１７】
前記レンズ部Ｌｐは前記レンズ要素ＬＦよりなることを特徴とする請求項１６に記載のズームレンズ。
【請求項１８】
前記レンズ部Ｌｐは物体側から像側へ順に配置された負の屈折力のレンズ要素Ｌ３ｎ、前記レンズ要素ＬＦよりなることを特徴とする請求項１６に記載のズームレンズ。
【請求項１９】
前記後群は物体側から像側へ順に配置された、正の屈折力の第３レンズ群、正の屈折力の第４レンズ群、負の屈折力の第５レンズ群からなり、前記第４レンズ群が前記レンズ部Ｌｐであり、前記第５レンズ群がレンズ部Ｌｎであることを特徴とする請求項１乃至１５のいずれか１項に記載のズームレンズ。
【請求項２０】
前記レンズ部Ｌｐは前記レンズ要素ＬＦよりなることを特徴とする請求項１９に記載のズームレンズ。
【請求項２１】
前記後群は負の屈折力の第３レンズ群よりなり、前記第３レンズ群は物体側から像側へ順に配置された、前記レンズ部Ｌｐ、前記レンズ部Ｌｎよりなる事を特徴とする請求項１乃至１５のいずれか１項に記載のズームレンズ。
【請求項２２】
前記レンズ部Ｌｐは前記レンズ要素ＬＦよりなることを特徴とする請求項２１に記載のズームレンズ。
【請求項２３】
請求項１乃至２２のいずれか１項に記載のズームレンズと、該ズームレンズによって形成される像を受光する撮像素子を備えることを特徴とする撮像装置。
【発明の詳細な説明】
【技術分野】
【０００１】
本発明は、撮像光学系及び撮像装置に関する。
【背景技術】
【０００２】
撮像装置（カメラ）に用いる撮像光学系は全系が小型であること、広画角であること、全ズーム範囲にわたり高い光学性能を有すること等が要望されている。
【０００３】
従来、広画角化が容易なズームレンズとして、物体側に負の屈折力のレンズ群が配置されたネガティブリード型のズームレンズが知られている。ネガティブリード型の広画角のズームレンズとして、物体側から像側へ順に、負、正の屈折力の第１レンズ群、第２レンズ群、１つ以上のレンズ群からなり、各レンズ群間隔を変化させてズーミングを行うズームレンズが知られている。
【０００４】
このズームレンズにおいて、フォーカスレンズ群の小型化、軽量化を実現するために、フォーカシングを最も物体側のレンズ群以外のレンズ群で行ったインナーフォーカス方式を用いたズームレンズが知られている（特許文献１、２）。
【０００５】
特許文献１では物体側から順に負、正、正、負の屈折力の第１レンズ群乃至第４レンズ群よりなり、隣り合うレンズ群の間隔を変えてズーミングを行い、第３レンズ群でフォーカシングを行うズームレンズを開示している。特許文献２では物体側から順に負、正、負の屈折力の第１レンズ群乃至第３レンズ群よりなり、隣り合うレンズ群の間隔を変えてズーミングを行い第２レンズ群の一部でフォーカシングを行うズームレンズを開示している。
【先行技術文献】
【特許文献】
【０００６】
【特許文献１】特開２０１５−１６６８３４号公報
【特許文献２】特開２０１２−０２７３１１号公報
【発明の概要】
【発明が解決しようとする課題】
【０００７】
ズームレンズにおいて、全系の小型化を図ることやフォーカシングを高速に行うためには、例えば、ズームレンズを構成する各レンズ群の数や各レンズ群の屈折力等を適切に設定することが重要になってくる。例えば、フォーカシングに際して移動するレンズ群を適切に設定すること等が重要になってくる。
【０００８】
また、全物体距離において高い光学性能を得るためには、フォーカシングに際して移動するレンズ群のレンズ構成を適切に設定することが重要になってくる。特に、フォーカシングに際して移動するレンズ群の物体側や像側に配置するレンズ群の屈折力やレンズ構成等を適切に設定することが重要になってくる。
【０００９】
本発明は、全系が小型でかつ広画角でありながら、フォーカシングに際して収差変動が少なく、全物体距離にわたり高い光学性能を有し、しかもフォーカシングを高速に行うことが容易なズームレンズ及びそれを有する撮像装置の提供を目的とする。
【課題を解決するための手段】
【００１０】
本発明のズームレンズは、
複数のレンズ群を有し、ズーミングに際して隣り合うレンズ群の間隔が変化するズームレンズであって、
前記複数のレンズ群は、物体側から像側に順に配置された、負の屈折力の第１レンズ群、正の屈折力の第２レンズ群、１つ以上のレンズ群を含む後群からなり、
前記後群は、最も像側に配置された負の屈折力のレンズ部Ｌｎと該レンズ部Ｌｎの物体側に隣接して配置された正の屈折力のレンズ部Ｌｐとを有し、
前記レンズ部Ｌｐは１つ以上のレンズ要素を有し、前記レンズ部Ｌｐのうちの１つのレンズ要素ＬＦを光軸方向に移動させることによりフォーカシングを行い、
前記レンズ要素ＬＦの物体側のレンズ面の曲率半径をＲ１ｆ、像側のレンズ面の曲率半径をＲ２ｆとするとき、
０．９５＜（Ｒ２ｆ＋Ｒ１ｆ）／（Ｒ２ｆ−Ｒ１ｆ）＜５．００
なる条件式を満足すること
を特徴としている。
【発明の効果】
【００１１】
本発明によれば、全体が小型でかつ広画角でありながらフォーカシングに際しての収差変動が少なく、全物体距離にわたり高い光学性能を有し、高速なフォーカシングが容易なズームレンズが得られる。
【図面の簡単な説明】
【００１２】
【図１】実施例１のズームレンズの断面図
【図２】実施例１の無限遠にフォーカス時の収差図
【図３】実施例１の近至近にフォーカス時の収差図
【図４】実施例２のズームレンズの断面図
【図５】実施例２の無限遠にフォーカス時の収差図
【図６】実施例２の近至近にフォーカス時の収差図
【図７】実施例３のズームレンズの断面図
【図８】実施例３の無限遠にフォーカス時の収差図
【図９】実施例３の近至近にフォーカス時の収差図
【図１０】実施例４のズームレンズの断面図
【図１１】実施例４の無限遠にフォーカス時の収差図
【図１２】実施例４の近至近にフォーカス時の収差図
【図１３】実施例５のズームレンズの断面図
【図１４】実施例５の無限遠にフォーカス時の収差図
【図１５】実施例５の近至近にフォーカス時の収差図
【図１６】実施例６のズームレンズの断面図
【図１７】実施例６の無限遠にフォーカス時の収差図
【図１８】実施例６の近至近にフォーカス時の収差図
【図１９】実施例７のズームレンズの断面図
【図２０】実施例７の無限遠にフォーカス時の収差図
【図２１】実施例７の近至近にフォーカス時の収差図
【図２２】本発明の撮像装置の要部概略図
【発明を実施するための形態】
【００１３】
以下に本発明の好ましい実施の形態を添付の図面に基づいて説明する。本発明のズームレンズは、複数のレンズ群を有し、ズーミングに際して隣り合うレンズ群の間隔が変化する。そして複数のレンズ群は、物体側から像側へ順に配置された、負の屈折力の第１レンズ群と、正の屈折力の第レンズ群と、１つ以上のレンズ群を含む後群を有する。後群は、最も像側に配置された負の屈折力のレンズ部Ｌｎとその物体側でレンズ部Ｌｎに隣接して配置された正の屈折力のレンズ部Ｌｐを有する。
【００１４】
ここでレンズ群とは、ズーミングに際して一体的に移動するレンズ系であって、1枚以上のレンズを有していればよく、必ずしも複数枚のレンズを有していなくてもよい。レンズ部Ｌｐは１つ以上のレンズ要素からなる。レンズ部Ｌｐのうちの１つのレンズ要素ＬＦはフォーカシングに際して移動する。ここでレンズ要素とは、単レンズや、複数のレンズが接合された接合レンズなど、一体的に形成されたレンズをいう。
【００１５】
図１は本発明の実施例１の広角端（短焦点距離端）におけるレンズ断面図である。図２（Ａ），（Ｂ），（Ｃ）は、それぞれ実施例１の無限遠にフォーカスしたときの広角端、中間ズーム位置、望遠端（長焦点距離端）における収差図である。図３（Ａ），（Ｂ），（Ｃ）はそれぞれ実施例１の広角端（結像倍率−０．０７５倍）、中間ズーム位置（結像倍率−０．０９３倍）、望遠端（結像倍率−０．１４倍）における収差図である。実施例１はズーム比１．８９、Ｆナンバー４．１０〜５．７２のズームレンズである。
【００１６】
図４は本発明の実施例２の広角端におけるレンズ断面図である。図５（Ａ），（Ｂ），（Ｃ）は、それぞれ実施例２の無限遠にフォーカスしたときの広角端、中間ズーム位置、望遠端（長焦点距離端）における収差図である。図６（Ａ），（Ｂ），（Ｃ）はそれぞれ実施例２の広角端（結像倍率−０．０７５倍）、中間ズーム位置（結像倍率−０．０９３倍）、望遠端（結像倍率−０．１４倍）における収差図である。実施例２はズーム比１．８９、Ｆナンバー４．１０〜５．７２のズームレンズである。
【００１７】
図７は本発明の実施例３の広角端におけるレンズ断面図である。図８（Ａ），（Ｂ），（Ｃ）は、それぞれ実施例３の無限遠にフォーカスしたときの広角端、中間ズーム位置、望遠端（長焦点距離端）における収差図である。図９（Ａ），（Ｂ），（Ｃ）はそれぞれ実施例３の広角端（結像倍率−０．０７５倍）、中間ズーム位置（結像倍率−０．０９３倍）、望遠端（結像倍率−０．１４倍）における収差図である。実施例３はズーム比１．８９、Ｆナンバー４．１０〜５．７２のズームレンズである。
【００１８】
図１０は本発明の実施例４の広角端におけるレンズ断面図である。図１１（Ａ），（Ｂ），（Ｃ）は、それぞれ実施例４の無限遠にフォーカスしたときの広角端、中間ズーム位置、望遠端（長焦点距離端）における収差図である。図１２（Ａ），（Ｂ），（Ｃ）はそれぞれ実施例４の広角端（結像倍率−０．０７５倍）、中間ズーム位置（結像倍率−０．０９３倍）、望遠端（結像倍率−０．１４倍）における収差図である。実施例４はズーム比１．８９、Ｆナンバー４．１０〜５．７１のズームレンズである。
【００１９】
図１３は本発明の実施例５の広角端におけるレンズ断面図である。図１４（Ａ），（Ｂ），（Ｃ）は、それぞれ実施例５の無限遠にフォーカスしたときの広角端、中間ズーム位置、望遠端（長焦点距離端）における収差図である。図１５（Ａ），（Ｂ），（Ｃ）はそれぞれ実施例５の広角端（結像倍率−０．０７５倍）、中間ズーム位置（結像倍率−０．０９３倍）、望遠端（結像倍率−０．１４倍）における収差図である。実施例５はズーム比１．８９、Ｆナンバー４．１０〜５．７２のズームレンズである。
【００２０】
図１６は本発明の実施例６の広角端におけるレンズ断面図である。図１７（Ａ），（Ｂ），（Ｃ）は、それぞれ実施例６の無限遠にフォーカスしたときの広角端、中間ズーム位置、望遠端（長焦点距離端）における収差図である。図１８（Ａ），（Ｂ），（Ｃ）はそれぞれ実施例６の広角端（結像倍率−０．０７５倍）、中間ズーム位置（結像倍率−０．０９３倍）、望遠端（結像倍率−０．１４倍）における収差図である。実施例６はズーム比１．８９、Ｆナンバー４．１０〜５．７２のズームレンズである。
【００２１】
図１９は本発明の実施例７の広角端におけるレンズ断面図である。図２０（Ａ），（Ｂ），（Ｃ）は、それぞれ実施例７の無限遠にフォーカスしたときの広角端、中間ズーム位置、望遠端（長焦点距離端）における収差図である。図２１（Ａ），（Ｂ），（Ｃ）はそれぞれ実施例７の広角端（結像倍率−０．０７５倍）、中間ズーム位置（結像倍率−０．０９３倍）、望遠端（結像倍率−０．１４倍）における収差図である。実施例７はズーム比１．８９、Ｆナンバー４．１０〜５．７１のズームレンズである。図２２は、本発明のズームレンズを備えるカメラ（撮像装置）の要部概略図である。
【００２２】
各実施例のズームレンズはビデオカメラ、デジタルスチルカメラ、監視カメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図においてＯＬはズームレンズである。
【００２３】
レンズ断面図において、ｉを物体側からのレンズ群の順番とすると、Ｌｉは第ｉレンズ群を示す。ＬＲは１つ以上のレンズ群を有する後群である。矢印は広角端から望遠端へのズーミングにおける各レンズ群の移動軌跡を示している。点線の矢印は近距離物体（至近物体）にフォーカスしたときの広角端から望遠端へのズーミングにおけるレンズ要素ＬＦの移動軌跡を示している。フォーカスに関する矢印は無限遠から近距離へのフォーカシングに際してのレンズ要素ＬＦの移動方向を示している。
【００２４】
ＳＰは開放Ｆナンバー（Ｆｎｏ）の光束を決定（制限）する開口絞りである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００２５】
収差図においてＦｎｏはＦナンバー、ωは半画角（度）であり、光線追跡値による画角である。球面収差図において、実線のｄはｄ線（波長５８７．５６ｎｍ）、２点鎖線のｇはｇ線（波長４３５．８ｎｍ）である。非点収差図において実線のΔＳはｄ線におけるサジタル像面、点線のΔＭはｄ線におけるメリディオナル像面である。歪曲収差はｄ線について示している。倍率色収差図において２点鎖線はｇ線である。尚、以下の各実施例において広角端と望遠端は変倍用レンズ群が機構上光軸上を移動可能な範囲の両端に位置したときのズーム位置をいう。
【００２６】
図１の実施例１、図４の実施例２、図７の実施例３、図１０の実施例４のズームレンズＯＬは物体側から像側へ順に配置された、負の屈折力の第１レンズ群Ｌ１、正の屈折力の第２レンズ群Ｌ２、１つ以上のレンズ群を有する後群ＬＲより構成されている。後群ＬＲは正の屈折力の第３レンズ群Ｌ３（Ｌｐ）（ＬＦ）、負の屈折力の第４レンズ群Ｌ４（Ｌｎ）より構成されている。
【００２７】
広角端から望遠端へのズーミングに際し、第１レンズ群Ｌ１は像側に凸状の軌跡で移動し、第２レンズ群Ｌ２，第３レンズ群Ｌ３，第４レンズ群Ｌ４は物体側へ互いに異なった軌跡で（独立に）移動する。第３レンズ群Ｌ３はレンズ部Ｌｐ及びレンズ要素ＬＦに相当し、無限遠から近距離へのフォーカシングに際して光軸に沿って矢印３ｃの如く物体側へ移動する。第４レンズ群Ｌ４がレンズ部Ｌｎに相当する。開口絞りＳＰは第２レンズ群Ｌ２に含まれている。
【００２８】
図１３の実施例５のズームレンズＯＬは物体側から像側へ順に配置された、負の屈折力の第１レンズ群Ｌ１、正の屈折力の第２レンズ群Ｌ２、１つ以上のレンズ群を有する後群ＬＲより構成されている。後群ＬＲは正の屈折力の第３レンズ群Ｌ３、正の屈折力の第４レンズ群Ｌ４（Ｌｐ）（ＬＦ）、負の屈折力の第５レンズ群Ｌ５（Ｌｎ）より構成されている。
【００２９】
広角端から望遠端へのズーミングに際し、第１レンズ群Ｌ１は像側に凸状の軌跡で移動し、第２レンズ群Ｌ２，第３レンズ群Ｌ３，第４レンズ群Ｌ４、第５レンズ群Ｌ５は物体側へ互いに異なった軌跡で移動する。第４レンズ群Ｌ４はレンズ部Ｌｐ及びレンズ要素ＬＦに相当し、無限遠から近距離へのフォーカシングに際して光軸に沿って矢印４ｃの如く物体側へ移動する。第５レンズ群Ｌ５がレンズ部Ｌｎに相当する。開口絞りＳＰは第２レンズ群Ｌ２と第３レンズ群Ｌ３の間に配置されている。
【００３０】
図１６の実施例６のズームレンズＯＬは物体側から像側へ順に配置された、負の屈折力の第１レンズ群Ｌ１、正の屈折力の第２レンズ群Ｌ２、１つのレンズ群を有する後群ＬＲより構成されている。後群ＬＲは負の屈折力の第３レンズ群Ｌ３より構成されている。第３レンズ群Ｌ３は、物体側から像側へ順に配置された正の屈折力のレンズ部Ｌｐ、負の屈折力のレンズ部Ｌｎにより構成されている。
【００３１】
広角端から望遠端へのズーミングに際し、第１レンズ群Ｌ１は像側に凸状の軌跡で移動し、第２レンズ群Ｌ２，第３レンズ群Ｌ３は物体側へ互いに異なった軌跡で移動する。レンズ部Ｌｐはレンズ要素ＬＦに相当し、無限遠から近距離へのフォーカシングに際して光軸に沿って物体側へ移動する。開口絞りＳＰは第２レンズ群Ｌ２に含まれている。
【００３２】
図１９の実施例７のズームレンズＯＬは物体側から像側へ順に配置された、負の屈折力の第１レンズ群Ｌ１、正の屈折力の第２レンズ群Ｌ２、１つ以上のレンズ群を有する後群ＬＲより構成されている。後群ＬＲは正の屈折力の第３レンズ群Ｌ３、負の屈折力の第４レンズ群Ｌ４より構成されている。第３レンズ群Ｌ３はレンズ部Ｌｐに相当し、物体側から像側へ順に配置された負の屈折力のレンズ要素Ｌ３ｎ、正の屈折力のレンズ要素ＬＦより構成されている。
【００３３】
広角端から望遠端へのズーミングに際し、第１レンズ群Ｌ１は像側に凸状の軌跡で移動し、第２レンズ群Ｌ２，第３レンズ群Ｌ３，第４レンズ群Ｌ４は物体側へ互いに異なった軌跡で移動する。レンズ要素ＬＦは無限遠から近距離へのフォーカシングに際して光軸に沿って物体側へ移動する。開口絞りＳＰは第２レンズ群Ｌ２に含まれている。
【００３４】
各実施例のズームレンズＯＬは物体側から像側へ順に配置された、負の屈折力を有する第１レンズ群Ｌ１、正の屈折力を有する第２レンズ群Ｌ２、１つ以上のレンズ群を含む後群ＬＲからなる。ズーミングに際して隣り合うレンズ群の間隔が変化する。
【００３５】
最も物体側に負の屈折力のレンズ群を配置することで、広画角化を図りつつ、長いバックフォーカスを得ている。また、望遠端のズーム位置で、第１レンズ群Ｌ１と第２レンズ群Ｌ２が全体として正の屈折力のレンズグループを構成し、光学系全体としてテレフォトタイプにすることにより、望遠端におけるレンズ全長の短縮化を図っている。
【００３６】
ここでレンズ全長とは第１レンズ面から最終レンズ面までの距離に空気換算でのバックフォーカスの値を加えた長さである。後群ＬＲは、最も像側に負の屈折力のレンズ部Ｌｎとその物体側でレンズ部Ｌｎに隣接して正の屈折力のレンズ部Ｌｐとを有し、レンズ部Ｌｐは少なくとも１つのレンズ要素ＬＦを有する。最も像側に負の屈折力のレンズ部Ｌｎを配置し、屈折力を適切に設定することで、全系の小型化を図っている。
【００３７】
レンズ要素ＬＦは光軸方向に移動させることにより、フォーカシングを行うフォーカスレンズ要素である。フォーカシングに際して、正の屈折力のレンズ要素ＬＦを光軸方向に移動させることにより、レンズ要素ＬＦの小型化を図りつつ、フォーカシングに際しての収差変動を軽減している。
【００３８】
各実施例ではレンズ部Ｌｐのうちの１つのレンズ要素ＬＦを光軸方向に移動させることによりフォーカシングを行う。レンズ要素ＬＦの物体側のレンズ面の曲率半径をＲ１ｆ、像側のレンズ面の曲率半径をＲ２ｆとする。このとき、
０．９５＜（Ｒ２ｆ＋Ｒ１ｆ）／（Ｒ２ｆ−Ｒ１ｆ）＜５．００  ・・・（１）
なる条件式を満足する。
【００３９】
次に前述の条件式（１）の技術的意味について説明する。条件式（１）はフォーカシングに際して光軸に沿って移動するレンズ要素ＬＦのレンズ形状（シェープファクター）を規定している。条件式（１）の下限を超えると、フォーカシングに際して収差変動が大きくなり、特に球面収差の変動が増大する。フォーカシングに際して残存する球面収差をレンズ部Ｌｎで補正しなければならず、レンズ部Ｌｎのレンズ枚数が増加し、全系が大型化するので良くない。条件式（１）の上限を超えると、レンズ要素ＬＦを移動させた際の、像面湾曲の変動が大きくなり、像面湾曲の補正が困難になる。
【００４０】
各実施例では以上のように各レンズ群の構成を適切にし、条件式（１）を満たすことを特徴としている。これにより、全体が小型でかつ広画角でありながらフォーカシングに際しての収差変動が少なく、全物体距離にわたり高い光学性能を有し、高速なフォーカシングが容易なズームレンズを得ている。
【００４１】
各実施例において更に好ましくは条件式（１）の数値範囲を次の如く設定するのが良い。
【００４２】
１．０＜（Ｒ２ｆ＋Ｒ１ｆ）／（Ｒ２ｆ−Ｒ１ｆ）＜４．０      ・・・（１ａ）
【００４３】
更に好ましくは条件式（１ａ）の数値範囲を次の如く設定するのが良い。
１．０４＜（Ｒ２ｆ＋Ｒ１ｆ）／（Ｒ２ｆ−Ｒ１ｆ）＜３．００  ・・・（１ｂ）
【００４４】
各実施例において更に好ましくは次の条件式のうち１つ以上を満足するのが良い。レンズ部Ｌｐの焦点距離をｆｐ、レンズ部Ｌｎの焦点距離をｆｎとする。望遠端において無限遠に合焦しているときのレンズ要素ＬＦの横倍率をβｐｔ、望遠端において無限遠に合焦しているときのレンズ要素ＬＦより像側に配置されたレンズ系の横倍率をβｔとする。広角端におけるズームレンズの焦点距離をｆｗとする。
【００４５】
無限遠に合焦時の広角端におけるレンズ要素ＬＦの最も物体側のレンズ面から像面までの距離をＤｗ、広角端における第１レンズ群Ｌ１の最も物体側のレンズ面から像面までの距離（レンズ全長）をＬｗとする。無限遠に合焦時の望遠端におけるレンズ要素ＬＦの最も物体側のレンズ面から像面までの距離をＤｔ、望遠端における第１レンズ群Ｌ１の最も物体側のレンズ面から像面までの距離（レンズ全長）をＬｔとする。望遠端におけるズームレンズの焦点距離をｆｔとする。
【００４６】
レンズ要素ＬＦは１枚の正レンズからなり、または１枚の正レンズと１枚の負レンズを接合した接合レンズからなり、正レンズの材料のアッベ数をνｄとする。広角端におけるバックフォーカスをＢＦｗとする。広角端における第１レンズ群Ｌ１と第２レンズ群Ｌ２の空気間隔をＤ１ｗ、望遠端における第１レンズ群Ｌ１と第２レンズ群Ｌ２の空気間隔をＤ１ｔとする。このとき次の条件式のうち１つ以上を満足するのが良い。
【００４７】
１．０＜｜ｆｐ/ｆｎ｜＜５．０            ・・・（２）
１．４＜（１−βｐｔ２）×βｔ２＜５．０    ・・・（３）
３．０＜ｆｐ／ｆｗ＜８．５                ・・・（４）
０．２５＜Ｄｗ／Ｌｗ＜０．３６            ・・・（５）
０．２５＜Ｄｔ／Ｌｔ＜０．５５            ・・・（６）
１．０＜｜ｆｎ｜／ｆｔ＜１０．０          ・・・（７）
１．４＜βｔ＜５．０                      ・・・（８）
４５≦νｄ                                ・・・（９）
０．５＜ＢＦｗ/ｆｗ＜２．０              ・・・（１０）
Ｄ１ｗ＞Ｄ１ｔ                            ・・・（１１）
【００４８】
次に前述の各条件式の技術的意味について説明する。条件式（２）はレンズ部Ｌｎの焦点距離に対する、レンズ部Ｌｐの焦点距離の比を規定している。条件式（２）の下限を超えると、レンズ部Ｌｎの負の屈折力が弱くなりすぎるため（負の屈折力の絶対値が小さくなりすぎるため）、バックフォーカスを十分に短縮することができず、レンズ全系が大型化するので良くない。また、条件式（２）の上限を超えると、レンズ部Ｌｎの負の屈折力が強くなりすぎるため（負の屈折力の絶対値が大きくなりすぎるため）、レンズ部Ｌｎで発生する諸収差、特に倍率色収差及び軸外コマ収差の発生が増加し、高い結像性能を得るのが困難になる。
【００４９】
条件式（３）は、レンズ要素ＬＦの位置敏感度を規定している。ここで位置敏感度ＥＳとは、レンズ要素ＬＦの光軸方向の距離量Δｘと、結像位置（ピント位置）の光軸方向の移動量Δｓｋの比である。即ち
ＥＳ＝Δｓｋ／Δｘ
である。
【００５０】
ズームレンズＯＬにて、レンズ要素ＬＦの移動量に対するバックフォーカスの変化量をΔｓｋとする。レンズ要素ＬＦの移動量をΔｘとする。レンズ要素ＬＦの横倍率をβＰ、レンズ要素ＬＦより像側に配置されたレンズ系の横倍率をβとする。そのとき、変化量Δｓｋは概ね次の式で表される。
【００５１】
Δｓｋ＝｛（１−βＰ２）×β２｝×Δｘ
上式によれば、位置敏感度ＥＳは移動するレンズ要素ＬＦの横倍率のβＰの絶対値が１の時に０となり、１から離れるに従って大きくなることが分かる。レンズ要素ＬＦをフォーカスレンズ要素とする際、レンズ要素ＬＦより物体側のレンズ系とレンズ要素ＬＦの像側のレンズ系とが干渉しないよう、予め十分な間隔を設定する必要がある。位置敏感度が小さい場合、レンズ全長が増大するのでよくない。
【００５２】
条件式（３）の下限を超えると、像位置を所定量移動するために必要なレンズ要素ＬＦの移動量が大きくなり、全系の小型化が困難となる。条件式（３）の上限を超えると、レンズ要素ＬＦの微小な移動に対し、像位置が大きく移動するので、高い位置精度が要求されるので、好ましくない。
【００５３】
条件式（４）はレンズ部Ｌｐの焦点距離を規定している。条件式（４）の下限を超えると、レンズ部Ｌｐの正の屈折力が強くなりすぎて、レンズ部Ｌｐの残存収差がおおきくなるため、フォーカシングに際しての収差変動が増大するため好ましくない。条件式（４）の上限を超えると、レンズ部Ｌｐの正の屈折力が弱くなりすぎて、フォーカシングに際してのレンズ要素ＬＦの移動量が大きくなりレンズ全長が増大するため好ましくない。
【００５４】
条件式（５）は、広角端において無限遠にフォーカスしているときのレンズ要素ＬＦの最も物体側のレンズ面から像面までの距離を、広角端におけるレンズ全長で規定したものである。条件式（５）の下限を超えると、軸外光束の入射高さ（の絶対値）が高くなるため、レンズ要素ＬＦを移動させた際の、像面湾曲の変動が大きくなり、像面湾曲の補正が困難になる。また、フォーカシングに際して、レンズ要素ＬＦの移動量が大きくなり、全系の小型化が困難である。条件式（５）の上限を超えると、軸上光束の入射高さ（の絶対値）が高くなるため球面収差の変動の軽減が困難となる。
【００５５】
条件式（６）は、望遠端において無限遠にフォーカスしているときのレンズ要素ＬＦの最も物体側のレンズ面から像面までの距離を、望遠端におけるレンズ全長で規定したものである。条件式（６）の下限を超えると、軸外光束の入射高さ（の絶対値）が高くなるため、レンズ要素ＬＦを移動させた際の、像面湾曲の変動が大きくなり、像面湾曲の補正が困難になる。また、フォーカシングに際して、レンズ要素ＬＦの移動量が大きくなり、全系の小型化が困難となる。条件式（６）の上限を超えると、軸上光束の入射高さ（の絶対値）が高くなるため球面収差の変動の軽減が困難となる。
【００５６】
条件式（７）は、レンズ部Ｌｎの焦点距離を望遠端における全系の焦点距離ｆｔの比で規定している。条件式（７）の下限を超えると、レンズ部Ｌｎの負の屈折力が強くなりすぎるため、レンズ部Ｌｎで発生する諸収差、特に倍率色収差及び軸外コマ収差が増加し、高い結像性能を保つことが困難になる。また、条件式（７）の上限を超えると、レンズ部Ｌｎの負の屈折力が弱くなりすぎるため、バックフォーカスを十分に短縮することが困難となり、レンズ全系が大型化するので良くない。ここで、バックフォーカスは、最終レンズ面から像面までの距離を空気換算長により表したものである。
【００５７】
条件式（８）は、レンズ要素ＬＦより像側に配置されているレンズ系の望遠端における横倍率を規定している。条件式（８）の下限を超えると、ズーミングに際してレンズ要素ＬＦの移動量が大きくなり、全系の小型化が困難となる。条件式（８）の上限を超えると、レンズ要素ＬＦの位置敏感度が大きくなり、フォーカシングの際に、高い位置精度が必要となり好ましくない。また、全ズーム範囲にわたり球面収差と色収差をバランス良く補正することが困難となる。
【００５８】
条件式（９）は、レンズ要素ＬＦを構成する正レンズの材料のアッベ数を規定している。レンズ要素ＬＦを構成する１つの正レンズの材料が条件式（９）の範囲外となると、分散が大きくなり、ズーミングに際して色収差の変動を軽減することが困難となる。
【００５９】
条件式（１０）は広角端におけるバックフォーカスＢＦｗを広角端における全系の焦点距離ｆｗの比で規定している。条件式（１０）の下限を超えると、最も像側に配置されたレンズの有効径が大きくなり、全系の小型化が困難となる。条件式（１０）の上限を超えるとバックフォーカスが長くなり、その分、ズームレンズが大型化してしまうので良くない。
【００６０】
条件式（１１）は、ズーミングに際しての第１レンズ群Ｌ１と第２レンズ群Ｌ２の移動量を規定している。広角端から望遠端へのズーミングに際して第１レンズ群Ｌ１と第２レンズ群Ｌ２の空気間隔を狭くすることで広角端ではレトロフォーカス型、望遠端ではテレフォト型のパワー配置とすることを容易にしている。
【００６１】
以上のように各実施例によれば、全体が小型でかつ広画角でありながらフォーカシングに際しての収差変動が少なく、全物体距離にわたり高い光学性能を有し、高速なフォーカシングが容易なズームレンズが得られる。
【００６２】
好ましくは条件式（２）乃至（１０）の数値範囲を次の如く設定するのが良い。
１．０１＜｜ｆｐ/ｆｎ｜＜４．００            ・・・（２ａ）
１．４１＜（１−βｐｔ２）×βｔ２＜４．００  ・・・（３ａ）
３．４＜ｆｐ／ｆｗ＜８．４                  ・・・（４ａ）
０．２８＜Ｄｗ／Ｌｗ＜０．３４              ・・・（５ａ）
０．２８＜Ｄｔ／Ｌｔ＜０．５１              ・・・（６ａ）
１．３＜｜ｆｎ｜／ｆｔ＜９．０              ・・・（７ａ）
１．４２＜βｔ＜３．００                    ・・・（８ａ）
４９≦νｄ                                  ・・・（９ａ）
０．６＜ＢＦｗ／ｆｗ＜１．５                ・・・（１０ａ）
【００６３】
更に好ましくは条件式（２）乃至（１０）の数値範囲を次の如く設定するのが良い。
１．０２＜｜ｆｐ/ｆｎ｜＜２．００            ・・・（２ｂ）
１．４２＜（１−βｐｔ２）×βｔ２＜３．５０  ・・・（３ｂ）
３．５０＜ｆｐ／ｆｗ＜８．２０              ・・・（４ｂ）
０．２９＜Ｄｗ／Ｌｗ＜０．３４              ・・・（５ｂ）
０．３０＜Ｄｔ／Ｌｔ＜０．５１              ・・・（６ｂ）
１．３＜｜ｆｎ｜／ｆｔ＜８．０              ・・・（７ｂ）
１．４５＜βｔ＜２．５０                    ・・・（８ｂ）
４９．２≦νｄ                              ・・・（９ｂ）
０．７＜ＢＦｗ／ｆｗ＜１．４                ・・・（１０ｂ）
【００６４】
更に好ましくは条件式（４）乃至（１０）の数値範囲を次の如く設定するのが良い。
４．０＜ｆｐ/ｆｗ｜＜４．５                  ・・・（４ｃ）
０．３＜Ｄｗ/Ｌｗ＜０．３４                  ・・・（５ｃ）
０．３＜Ｄｔ/Ｌｔ＜０．５０                  ・・・（６ｃ）
１．３５＜｜ｆｎ｜／ｆｔ＜６．００            ・・・（７ｃ）
２．０＜βｔ＜２．５                        ・・・（８ｃ）
６０≦νｄ                                  ・・・（９ｃ）
０．７＜ＢＦｗ/ｆｗ＜１．３                  ・・・（１０ｃ）
【００６５】
レンズ部Ｌｐは小型かつ軽量にするために、１つのレンズ要素ＬＦからなることが望ましい。更に好ましくは、レンズ部Ｌｐは単一の正レンズで構成するのが良い。レンズ部Ｌｎは最も像面側に正レンズもしくは正の屈折力の接合レンズで構成するのが良い。像面近くに正レンズもしくは正の屈折力の接合レンズを配置すると、良好なテレセントリック性を得ることが容易となる。ここで、接合レンズとは、複数のレンズが接合された接合レンズであり、正の屈折力を有する接合レンズをいう。
【００６６】
実施例１乃至７では、第２レンズ群の最も物体側の正レンズを光軸に対して垂直方向の成分を持つように移動させることにより、ズームレンズ全体が振動（傾動）したときの撮像画像のぶれを補正するようにしている。尚、各実施例では任意のレンズを光軸に対して垂直な方向の成分を持つ用に移動させて画像ぶれの補正を行ってもよい。
【００６７】
次に、各実施例のズームレンズを撮像光学系として用いたデジタルカメラ（撮像装置）の実施例を図２２を用いて説明する。図２２において、１０はカメラ本体、１１は実施例１乃至７で説明したいずれかのズームレンズによって構成された撮像光学系である。１２はカメラ本体に内蔵され、撮像光学系１１によって形成された被写体像を受光するＣＣＤセンサやＣＭＯＳセンサ等の撮像素子（光電変換素子）である。
【００６８】
以上、本発明の好ましい実施形態について説明したが、本発明はこれらの実施形態に限定されず、その要旨の範囲内で種々の変形及び変更が可能である。
【００６９】
以下に、実施例１乃至７に各々対応する数値データ１乃至７を示す。各数値データにおいて、ｉは物体側からの光学面の順序を示す。ｒは第ｉ番目の光学面の曲率半径、ｄｉは第ｉ面と第ｉ＋１面間のレンズ厚及び空気間隔、ｎｄｉとνｄｉはそれぞれ、ｄ線を基準とした第ｉ番目の光学部材の屈折率とアッベ数である。ＢＦはバックフォーカスである。非球面形状は光軸方向にＸ軸、光軸と垂直方向にＨ軸、光の進行方向を正としＲを近軸曲率半径、Ｋを円錐定数、Ａ４、Ａ６、Ａ８、Ａ１０を各々非球面係数としたとき、
【００７０】
【数１】
2019168496.tif 000003
【００７１】
なる式で表している。＊は非球面形状を有する面を意味している。「ｅ−ｘ」は１０-xを意味している。ｆは焦点距離、ＦｎｏはＦナンバー、ωは撮像半画角を示し、近軸計算による画角を示す。ＢＦはバックフォーカスであり、最終レンズ面から像面までの距離を示している。広角は広角端、中間は中間のズーム位置、望遠は望遠端を示している。また、前述の各条件式に関するパラメータ及び各条件式に対応する各数値実施例との関係を表１に示す。
【００７２】
［数値データ１］
単位 mm
面データ
面番号       r        d      nd         νd
1*        55.911    2.70   1.58313    59.4           
2*        10.260    8.54                             
3        -58.759    1.20   1.72916    54.7           
4         13.765    2.56                             
5         19.945    3.96   1.91082    35.3           
6        227.375  (可変)                             
7       -574.644    2.82   1.48749    70.2           
8        -28.639    1.50                             
9(絞り)    ∞       0.40                             
10         12.385    4.35   1.54072    47.2           
11        -13.116    0.80   1.83481    42.7           
12         14.614    0.69                             
13         11.299    4.21   1.43875    94.9           
14        -13.226    0.92                             
15        -41.962    1.34   1.48749    70.2           
16        -20.853    1.30   1.72916    54.7           
17*       -32.018  (可変)                             
18         16.704    2.34   1.48749    70.2           
19         63.973  (可変)                             
20         77.719    0.80   1.80400    46.6           
21         15.409    5.19                             
22        115.040    6.47   1.48749    70.2           
23        -13.942    1.10   1.72916    54.7           
24        -31.759  (可変)                             
像面        ∞   
【００７３】
非球面データ
第1面
K = 0.00000e+000  A 4= 5.33573e-005  A 6=-1.20491e-007  A 8= 4.91526e-011  A10= 2.54750e-013  
第2面
K =-9.41229e-001  A 4= 1.21515e-004  A 6= 4.48370e-007  A 8= 5.24763e-009  A10=-3.73262e-011  
第17面
K = 0.00000e+000  A 4= 1.09143e-004  A 6= 1.10547e-006  A 8= 1.14921e-008  A10= 2.52199e-010  
【００７４】
各種データ
ズーム比     1.89 
広角     中間     望遠
焦点距離      11.30    14.06    21.40  
Fナンバー      4.10     4.50     5.72  
半画角（度）  50.40    44.17    32.55  
像高          13.66    13.66    13.66  
レンズ全長    84.52    82.26    83.53  
BF            10.55    14.23    23.90  
無限遠にフォーカス時
d 6           16.47    10.52     2.13  
d17            3.33     3.21     2.90  
d19            1.00     1.12     1.44  
d24           10.55    14.23    23.90  
近至近にフォーカス時
d 6           16.47    10.52     2.13
d17            2.35     1.97     0.91
d19            1.98     2.36     3.42
d24           10.55    14.23    23.90
レンズ群データ
群  始面    焦点距離  
1    1     -15.57  
2    7      20.57  
3   18      45.63  
4   20     -35.87  
【００７５】
［数値データ２］
単位 mm
面データ
面番号       r        d      nd         νd
1*        91.899    2.70   1.58313    59.4           
2*        11.236    8.84                             
3        -57.102    1.20   1.72916    54.7           
4         13.363    2.60                             
5         19.911    3.32   1.91082    35.3           
6        245.984  (可変)                             
7       -203.873    2.82   1.48749    70.2           
8        -26.498    1.48                             
9(絞り)    ∞       0.40                             
10         12.385    4.20   1.56732    42.8           
11        -14.717    0.80   1.83481    42.7           
12         15.160    0.69                             
13         11.637    4.67   1.43875    94.9           
14        -13.438    0.85                             
15        -47.445    1.98   1.53775    74.7           
16        -10.359    1.30   1.80610    40.7           
17*       -29.294  (可変)                             
18         23.070    2.08   1.77250    49.6           
19         78.454  (可変)                             
20         68.570    0.80   1.78800    47.4           
21         15.902    4.25                             
22        220.267    7.00   1.51823    58.9           
23        -12.091    1.10   1.74100    52.6           
24        -29.091  (可変)                             
像面        ∞   
【００７６】
非球面データ
第1面
K = 0.00000e+000  A 4= 7.24007e-005  A 6=-2.11686e-007  A 8= 2.73957e-010  A10=-4.06774e-015  
第2面
K =-9.41229e-001  A 4= 1.21307e-004  A 6= 5.70865e-007  A 8= 2.26337e-009  A10=-3.52602e-011  
第17面
K = 0.00000e+000  A 4= 8.50130e-005  A 6= 9.12718e-007  A 8= 6.10146e-009  A10= 8.05639e-011  
【００７７】
各種データ
ズーム比     1.89 
広角     中間     望遠
焦点距離      11.30    14.07    21.40  
Fナンバー      4.10     4.50     5.72  
半画角（度）  50.40    44.15    32.55  
像高          13.66    13.66    13.66  
レンズ全長    84.07    82.01    83.65  
BF            10.97    14.72    24.52  
無限遠にフォーカス時
d 6           15.63     9.82     1.67  
d17            3.38     3.25     2.91  
d19            1.00     1.13     1.46  
d24           10.97    14.72    24.52  
近至近にフォーカス時
d 6           15.63     9.82     1.67  
d17            2.38     1.98     0.85 
d19            2.00     2.40     3.52 
d24           10.97    14.72    24.52  
レンズ群データ
群  始面    焦点距離  
1    1     -15.24  
2    7      21.01  
3   18      41.62  
4   20     -40.24  
【００７８】
［数値データ３］
単位 mm
面データ
面番号       r        d      nd         νd
1*        46.550    2.70   1.58313    59.4           
2*         9.669    9.05                             
3       -131.893    1.20   1.72916    54.7           
4         13.545    2.54                             
5         18.820    3.35   1.91082    35.3           
6        104.092  (可変)                             
7       -284.041    2.72   1.48749    70.2           
8        -26.473    1.46                             
9(絞り)    ∞       0.40                             
10         11.664    4.54   1.54072    47.2           
11        -11.285    0.80   1.83481    42.7           
12         15.049    0.69                             
13         12.094    4.87   1.43875    94.9           
14        -11.129    0.87                             
15        -27.006    1.45   1.71300    53.9           
16*       -25.950  (可変)                             
17         17.124    2.27   1.48749    70.2           
18        -60.000    0.71   1.83481    42.7           
19        716.141  (可変)                             
20        -78.025    0.80   1.80400    46.6           
21         17.003    6.44                             
22         95.293    3.47   1.51633    64.1           
23        -46.753  (可変)                             
像面        ∞   
【００７９】
非球面データ
第1面
K = 0.00000e+000  A 4= 2.18227e-005  A 6=-6.00639e-008  A 8= 5.66289e-011  A10= 9.91498e-015  
第2面
K =-9.41229e-001  A 4= 9.68561e-005  A 6=-3.54794e-008  A 8= 6.53663e-009  A10=-3.96809e-011  
第16面
K = 0.00000e+000  A 4= 1.22970e-004  A 6= 1.12751e-006  A 8= 1.71097e-008  A10= 1.09777e-010  
【００８０】
各種データ
ズーム比     1.89 
広角     中間     望遠
焦点距離      11.30    13.48    21.40  
Fナンバー      4.10     4.44     5.72  
半画角（度）  50.40    45.38    32.55  
像高          13.66    13.66    13.66  
レンズ全長    81.00    78.67    78.95  
BF            10.55    13.26    23.17  
無限遠にフォーカス時
d 6           16.15    11.10     1.48  
d16            2.97     2.84     2.52  
d19            1.00     1.14     1.45  
d23           10.55    13.26    23.17  
近至近にフォーカス時
d 6           16.15    11.10     1.48  
d16            2.09     1.78     0.80  
d19            1.88     2.19     3.17   
d23           10.55    13.26    23.17  
レンズ群データ
群  始面    焦点距離  
1    1     -16.11  
2    7      18.79  
3   17      45.82  
4   20     -29.53  
【００８１】
［数値データ４］
単位 mm
面データ
面番号       r        d      nd         νd
1*        64.262    2.70   1.58313    59.4           
2*        10.503    9.21                             
3        -65.110    1.20   1.72916    54.7           
4         13.729    2.64                             
5         20.108    4.37   1.91082    35.3           
6        210.405  (可変)                             
7       -321.132    2.81   1.48749    70.2           
8        -27.881    1.48                             
9(絞り)    ∞       0.40                             
10         12.385    5.38   1.54072    47.2           
11        -11.912    0.80   1.83481    42.7           
12         14.851    0.69                             
13         11.579    3.74   1.43875    94.9           
14        -12.182    0.87                             
15        -35.069    1.56   1.48749    70.2           
16        -15.380    1.30   1.72916    54.7           
17*       -26.129  (可変)                             
18         16.875    1.95   1.48749    70.2           
19        111.616  (可変)                             
20        550.804    0.80   1.80400    46.6           
21         16.043    4.35                             
22        347.855    2.83   1.48749    70.2           
23        -38.208  (可変)                             
像面        ∞   
【００８２】
非球面データ
第1面
K = 0.00000e+000  A 4= 4.90439e-005  A 6=-1.40852e-007  A 8= 1.85627e-010  A10=-2.80433e-014  
第2面
K =-9.41229e-001  A 4= 1.08243e-004  A 6= 2.50033e-007  A 8= 4.28151e-009  A10=-3.47572e-011  
第17面
K = 0.00000e+000  A 4= 1.09606e-004  A 6= 1.08254e-006  A 8= 1.17534e-008  A10= 2.51314e-010  
【００８３】
各種データ
ズーム比     1.89 
広角     中間     望遠
焦点距離      11.30    14.03    21.40  
Fナンバー      4.10     4.50     5.71  
半画角（度）  50.40    44.23    32.55  
像高          13.66    13.66    13.66  
レンズ全長    84.31    82.00    83.33  
BF            15.25    18.91    28.73  
無限遠にフォーカス時
d 6           15.94     9.97     1.48  
d17            3.05     2.91     2.61  
d19            1.00     1.14     1.44  
d23           15.25    18.91    28.73  
近至近にフォーカス時
d 6           15.94     9.97     1.48  
d17            2.18     1.82     0.89  
d19            1.87     2.22     3.16
d23           15.25    18.91    28.73  
レンズ群データ
群  始面    焦点距離  
1    1     -15.50  
2    7      20.74  
3   18      40.51  
4   20     -32.96  
【００８４】
［数値データ５］
単位 mm
面データ
面番号       r        d      nd         νd
1*        69.474    2.70   1.58313    59.4           
2*        10.453    8.30                             
3        -54.599    1.20   1.72916    54.7           
4         13.660    2.54                             
5         20.071    3.48   1.91082    35.3           
6        334.946  (可変)                             
7       -254.680    2.82   1.48749    70.2           
8        -27.271  (可変)                             
9(絞り)    ∞       0.40                             
10         12.385    5.05   1.54072    47.2           
11        -12.115    0.80   1.83481    42.7           
12         14.253    0.69                             
13         11.571    3.56   1.43875    94.9           
14        -12.557    0.91                             
15        -54.288    1.34   1.48749    70.2           
16        -23.298    1.30   1.72916    54.7           
17*       -40.792  (可変)                             
18         19.660    2.42   1.48749    70.2           
19        400.000  (可変)                             
20         44.824    0.80   1.80400    46.6           
21         14.972    3.25                             
22        -91.775    5.61   1.48749    70.2           
23        -11.550    1.10   1.72916    54.7           
24        -22.669  (可変)                             
像面        ∞   
【００８５】
非球面データ
第1面
K = 0.00000e+000  A 4= 6.81005e-005  A 6=-1.81286e-007  A 8= 1.72882e-010  A10= 1.81525e-013  
第2面
K =-9.41229e-001  A 4= 1.30061e-004  A 6= 6.80219e-007  A 8= 3.54556e-009  A10=-3.64203e-011  
第17面
K = 0.00000e+000  A 4= 1.00692e-004  A 6= 1.03260e-006  A 8= 9.91225e-009  A10= 3.03667e-010  
【００８６】
各種データ
ズーム比     1.89 
広角     中間     望遠
焦点距離      11.30    14.10    21.40  
Fナンバー      4.10     4.50     5.72  
半画角（度）  50.40    44.09    32.55  
像高          13.66    13.66    13.66  
レンズ全長    84.11    82.11    83.58  
BF            13.77    17.66    27.40  
無限遠にフォーカス時
d 6           16.38    10.48     2.20  
d 8            1.49     1.47     1.44  
d17            3.22     3.19     2.89  
d19            1.00     1.04     1.39  
d24           13.77    17.66    27.40  
近至近にフォーカス時
d 6           16.38    10.48     2.20  
d 8            1.49     1.47     1.44  
d17            2.26     1.97     0.90  
d19             1.96    2.27     3.38   
d24           13.77    17.66    27.40  
レンズ群データ
群  始面    焦点距離  
1    1     -15.34  
2    7      62.40  
3    9      29.32  
4   18      42.32  
5   20     -39.00  
【００８７】
［数値データ６］
単位 mm
面データ
面番号       r        d      nd         νd
1*        52.830    2.70   1.58313    59.4           
2*        10.181    8.60                             
3        -59.258    1.20   1.72916    54.7           
4         13.825    2.59                             
5         20.078    3.65   1.91082    35.3           
6        231.238  (可変)                             
7       -588.405    2.82   1.48749    70.2           
8        -28.673    1.50                             
9(絞り)    ∞       0.40                             
10         12.385    4.59   1.54072    47.2           
11        -13.005    0.80   1.83481    42.7           
12         14.533    0.69                             
13         11.318    4.24   1.43875    94.9           
14        -13.138    0.92                             
15        -41.276    1.40   1.48749    70.2           
16        -19.538    1.30   1.72916    54.7           
17*       -30.170  (可変)                             
18         15.610    2.33   1.48749    70.2           
19         49.850    1.00                             
20         65.170    0.80   1.80400    46.6           
21         15.009    5.68                             
22        111.871    6.00   1.48749    70.2           
23        -14.987    1.10   1.72916    54.7           
24        -34.910  (可変)                             
像面        ∞   
【００８８】
非球面データ
第1面
K = 0.00000e+000  A 4= 5.31189e-005  A 6=-1.21914e-007  A 8= 4.89742e-011  A10= 2.62406e-013  
第2面
K =-9.41229e-001  A 4= 1.23292e-004  A 6= 4.51808e-007  A 8= 4.99431e-009  A10=-3.64039e-011  
第17面
K = 0.00000e+000  A 4= 1.08107e-004  A 6= 1.12667e-006  A 8= 8.54505e-009  A10= 3.02305e-010  
【００８９】
各種データ
ズーム比     1.89 
広角     中間     望遠
焦点距離      11.30    14.06    21.40  
Fナンバー      4.10     4.50     5.72  
半画角（度）  50.40    44.18    32.55  
像高          13.66    13.66    13.66  
レンズ全長    84.03    81.90    83.55  
BF            11.08    14.62    24.01  
無限遠にフォーカス時
d 6           16.40    10.54     2.30  
d17            2.24     2.43     2.93  
d24           11.08    14.62    24.01  
近至近にフォーカス時
d 6           16.40    10.54     2.30  
d17            1.30     1.23     0.96
d19            1.93     2.20     2.97   
d24           11.08    14.62    24.01  
レンズ群データ
群  始面    焦点距離  
1    1     -15.68  
2    7      20.59  
3   18    -170.94
Lp   18      45.60  
Ln   20     -35.34  
【００９０】
［数値データ７］
単位 mm
面データ
面番号       r        d      nd         νd
1*        59.225    2.70   1.58313    59.4           
2*        10.006    8.26                             
3        -54.122    1.20   1.72916    54.7           
4         14.138    2.53                             
5         20.646    3.51   1.91082    35.3           
6       1034.167  (可変)                             
7       -226.812    2.49   1.48749    70.2           
8        -26.151    1.47                             
9(絞り)    ∞       0.40                             
10         12.815    4.67   1.54072    47.2           
11        -11.482    0.80   1.83481    42.7           
12         14.252    0.69                             
13         11.703    4.24   1.43875    94.9           
14        -11.801    0.94                             
15        -37.289    1.76   1.58573    59.7           
16*       -38.885  (可変)                             
17         20.428    1.37   1.61293    37.0           
18         16.481    4.88                             
19         20.010    2.07   1.48749    70.2           
20         64.273  (可変)                             
21         31.940    0.80   1.80400    46.6           
22         16.774    3.09                             
23        177.110    6.53   1.48749    70.2           
24        -13.446    1.10   1.77250    49.6           
25        -29.046  (可変)                             
像面        ∞   
【００９１】
非球面データ
第1面
K = 0.00000e+000  A 4= 5.30425e-005  A 6=-1.43864e-007  A 8= 1.57614e-010  A10= 8.97529e-014  
第2面
K =-9.41229e-001  A 4= 1.23167e-004  A 6= 3.67689e-007  A 8= 5.51226e-009  A10=-4.00459e-011  
第16面
K = 0.00000e+000  A 4= 1.10132e-004  A 6= 1.16973e-006  A 8= 1.27426e-008  A10= 3.40311e-010  
【００９２】
各種データ
ズーム比     1.89 
広角     中間     望遠
焦点距離      11.30    14.01    21.40  
Fナンバー      4.10     4.50     5.71  
半画角（度）  50.40    44.28    32.55  
像高          13.66    13.66    13.66  
レンズ全長    84.59    82.24    83.54  
BF            10.54    14.23    24.24  
無限遠にフォーカス時
d 6           16.24    10.20     1.49  
d16            1.31     1.20     0.90  
d20            1.00     1.11     1.41  
d25           10.54    14.23    24.24  
近至近にフォーカス時
d 6           16.24    10.20     1.49  
d16            1.31     1.20     0.90  
d18            3.05     2.55     0.92  
d20            2.83     3.44     5.37  
d25           10.54    14.23    24.24  
レンズ群データ
群  始面    焦点距離  
1    1     -15.95  
2    7      21.35  
3   17      92.45
L3n  17    -160.38  
LF   19      58.70  
4   21     -80.47  
【００９３】
【表１】
2019168496.tif 000004
【符号の説明】
【００９４】
ＯＬ  ズームレンズ      Ｌ１  第１レンズ群      Ｌ２  第２レンズ群
Ｌ３  第３レンズ群      Ｌ４  第４レンズ群      Ｌ５  第５レンズ群
ＬＲ  後群      Ｌｎ  レンズ部      Ｌｐ  レンズ部      ＬＦ  レンズ要素
【図１】
2019168496.tif 000005
【図２】
2019168496.tif 000006
【図３】
2019168496.tif 000007
【図４】
2019168496.tif 000008
【図５】
2019168496.tif 000009
【図６】
2019168496.tif 000010
【図７】
2019168496.tif 000011
【図８】
2019168496.tif 000012
【図９】
2019168496.tif 000013
【図１０】
2019168496.tif 000014
【図１１】
2019168496.tif 000015
【図１２】
2019168496.tif 000016
【図１３】
2019168496.tif 000017
【図１４】
2019168496.tif 000018
【図１５】
2019168496.tif 000019
【図１６】
2019168496.tif 000020
【図１７】
2019168496.tif 000021
【図１８】
2019168496.tif 000022
【図１９】
2019168496.tif 000023
【図２０】
2019168496.tif 000024
【図２１】
2019168496.tif 000025
【図２２】
2019168496.tif 000026